Podtech/llm-jp-corpus-v4-ja_patent huggingface dataset:
(57)【要約】      （修正有）【課題】作業上の非効率性とテスター棒の完全接触を図る。【解決手段】電圧計、測定対象のコネクターを挿入する受け側のコネクター及び切替用ロータリースイッチを同一ケースに配置し、測定対象のコネクターを挿入後、ロータリースイッチの切替操作のみで各コンタクト間の電圧を即時に読み取ることの出来る測定装置を使用することにより、上記の課題を解決するものである。【選択図】図１
0003138972.tif 000002
【実用新案登録請求の範囲】
【請求項１】
（公序良俗違反につき、不掲載）で稼働しているＩＴ  ＴＲＡＣＥシステム電源部の検査においてテスターを使用しコネクターの電圧を測定する場合は、テスター棒を各コンタクト個々に接触又は挿入して測定しデーターの読み取りをするが、測定作業を迅速かつ確実に実施するためデジタル電圧計、測定対象のコネクターを挿入する受け側のコネクター及び切替用ロータリースイッチを同一ケースに組み込んだもので、測定対象のコネクターを挿入後、ロータリースイッチの切替操作により各コンタクト間の電圧を即時に読み取りできる事を特徴とする測定装置である。
【考案の詳細な説明】
【考案の詳細な説明】
【技術分野】
【０００１】  本考案は、特定機械のコネクター電圧測定において、テスター棒を接触又は挿入して測定する作業を迅速化する装置に関するものである。
【背景技術】
【０００２】  （公序良俗違反につき、不掲載）で稼働しているＩＴ  ＴＲＡＣＥシステム電源部の検査における電圧測定は、テスターを用いコネクターの各コンタクトにテスター棒を個々に接触又は挿入して測定し、読み取ったデーターを記入する作業を、測定箇所の数だけ繰り返し行っていた。
【考案の開示】
【考案が解決しようとする課題】
【０００３】  しかし従来の作業は、環境要因（周囲が暗い）、構造要因（コンタクト同士の間隔が非常に狭い）、身体能力要因（老眼）などが障害になり、極端に測定時間がかかっていた事と、接触不完全や挿入間違いによる測定エラーがあり、テスター棒を各コンタクトに個々に接触又は挿入して測定する方式に関しては、作業上の非効率性とテスター棒の完全接触に不確実性があった。
【課題を解決するための手段】
【０００４】  本考案は、デジタル電圧計、測定対象のコネクターを挿入する受け側のコネクター及び、切替用ロータリースイッチを同一ケースに組み込み、測定対象のコネクターを挿入後、ロータリースイッチの切替操作のみで各コンタクト間の電圧を即時に読み取る事のできる測定装置を使用する事により、上記の課題を解決するものである。
【考案の効果】
【０００５】  請求項１の考案は、環境要因、構造要因、身体能力要因等の悪条件に影響されることが無くなった。  また左手でロータリースイッチの操作を行い、測定データーを読み取り、右手でデーターを記入するまでの一連の繰り返し作業についても、ひとりで迅速かつ確実に実施できる様になった。
【考案を実施するための最良の形態】
【０００６】  図面を参考にして本考案の実施の形態を説明する。  測定装置本体のケース正面上部にデジタル電圧計を１個（１）、電圧計の左下に受け側のコネクターを上下に並べて２個（２）、電圧計右下に切替用ロータリースイッチ１個（３）を配置してある。（図１）
測定対象のコネクター（４）を受け側のコネクター（５）へ挿入する前と、挿入した後の状態を現したものである。（図２）
内部の配線はコンタクトの各端子からロータリースイッチの各端子へ接続し、更にデジタル電圧計へ接続し電圧表示できるようにする。  ロータリースイッチの切替により、測定したいコンタクト間を選択できる回路を構成する。（図３）
配線はラッピングワイヤーを使用し、接続はハンダ付けをする。
【図面の簡単な説明】
【図１】  ＩＴＣテスター本体正面図
【図２】  測定対象となるコネクターの接続状態
【図３】  ＩＴＣテスター回路図
【符号の説明】
１  デジタル電圧計
２  受け側コネクター
３  ロータリースイッチ
４  測定対象のコネクター
５  受け側のコネクター
【図１】
0003138972.tif 000003
【図２】
0003138972.tif 000004
【図３】
0003138972.tif 000005
【手続補正書】
【提出日】平成19年8月2日(2007.8.2)
【手続補正１】
【補正対象書類名】実用新案登録請求の範囲
【補正対象項目名】請求項１
【補正方法】変更
【補正の内容】
【請求項１】
コンテナ用フォークリフトに搭載しているＩＴ  ＴＲＡＣＥシステム電源部の検査においてテスターを使用しコネクターの電圧を測定する場合は、テスター棒を各コンタクト個々に接触又は挿入して測定しデーターの読み取りをするが、測定作業を迅速かつ確実に実施するためデジタル電圧計、測定対象のコネクターを挿入する受け側のコネクター及び切替用ロータリースイッチを同一ケースに組み込んだもので、測定対象のコネクターを挿入後、ロータリースイッチの切替操作により各コンタクト間の電圧を即時に読み取りできる事を特徴とするＩＴＣテスター。
【手続補正２】
【補正対象書類名】明細書
【補正対象項目名】０００２
【補正方法】変更
【補正の内容】
【０００２】
【背景技術】  コンテナ用フォークリフトに搭載しているＩＴ  ＴＲＡＣＥシステム電源部の検査における電圧測定は、テスターを用いコネクターの各コンタクトにテスター棒を個々に接触又は挿入して測定し、読み取ったデーターを記入する作業を、測定箇所の数だけ繰り返し行っていた。
(57)【要約】【課題】  もっと効果的にＯ脚を矯正しヒップアップを促進する美脚スリッパを提供する。【解決手段】  サンダル台の踵部外側を高さ６〜８．５ｃｍとし、内側を高さ５〜７．５ｃｍとして爪先部高さ１ｃｍに向けて急傾斜させ、足裏刺激の針形突起物を複数設けたシートを接合したＯ脚矯正及びヒップアップ促進用美脚スリッパである。【選択図】図１
0003138977.tif 000002
【実用新案登録請求の範囲】
【請求項１】
サンダル台の踵部の外側を接地面より高さ６〜８．５ｃｍとし、内側は５〜７．５ｃｍとして爪先部高さ１ｃｍとし、踵の頂部（高さ６〜８．５ｃｍ）から急傾斜して爪先部（高さ１ｃｍ）に至る造形にしたことを特徴とするＯ脚矯正及びヒップアップ促進美脚スリッパ。
【請求項２】
前記サンダル台上に足裏押し圧する針形突起物を複数設けたシートを接合したことを特徴とする美脚スリッパ。
【考案の詳細な説明】
【技術分野】
【０００１】  本考案は、サンダルの踵部を内側に傾斜させて高くし、重心を足の内側や爪先にかけるようにして、Ｏ脚矯正及びヒップアップを促すサンダルに関する。
【背景技術】
【０００２】  以前よりＯ脚の矯正に関する種々なスリッパやサンダルの提案がなされている。台の厚さが踵部から爪先部に向かって次第に減少し、台の中央部の厚さが外側から内側に向かって次第に減少している物（実願平７−８９９）、スリッパの台部の外側及び後方踵部をやや高くした高台部と、台部の内側及び前方つま先へむけてやや低くした低台部を有した物（特願２００５−２０４９０５）、履き台の厚さを足外側に行くに従い次第に厚肉とした物（実開平０５−０８８３０４）等があった。
【考案の開示】
【考案が解決しようとする課題】
【０００３】  従来の履き物は、台の中央部の厚さが外側から内側に向かって減少したり、踵部分を内側に徐々に傾斜させた物などでＯ脚の矯正には効果が薄く、ヒップアップを促進する物が見当らなかった。
【課題を解決するための手段】
【０００４】  本考案のＯ脚矯正及びヒップアップ促進美脚スリッパは、サンダル台の踵部外側を内側より高くし、爪先部に向けて急傾斜させ、台上に足裏押し圧する針形突起物を複数設けたシートを接合したサンダルである。
【考案を実施するための最良の形態】
【０００５】（Ａ）サンダル台は、踵部外側高さ６〜８．５ｃｍ（２ｃ）を踵部内側高さ５〜７．５ｃｍ（２ｂ）より高くした高台部と、爪先部高さ１ｃｍ（２ａ）に向けて急傾斜した低台部から成る。
（Ｂ）サンダル台（２）を被甲部カバー（３）及び足裏を刺激する針形突起物を複数設けたシート（４）と接合する。
本考案は以上の構成により成っている。
本考案を使用する時は、室内で使用する。
【考案の効果】
【０００６】  本考案による美脚スリッパは、踵部外側を内側より高くし、爪先部に向けて急傾斜しているので履くと自然に膝や内股が接近し、括約筋を閉じて太股や腰周りが引き締まる。
【図面の簡単な説明】
【０００７】
【図１】本考案の斜視図である。
【図２】Ａ−Ａ線の断面図である。
【図３】Ｂ−Ｂ線の断面図である。
【符号の説明】
【０００８】１、サンダル
２、台
２ａ、低台部
２ｃ、高台部（頂部）
３、被甲部カバー
４、サンダルのシート
５、針形突起物
【図１】
0003138977.tif 000003
【図２】
0003138977.tif 000004
【図３】
0003138977.tif 000005
(57)【要約】【課題】  ポリプロピレン製レジ袋に対しては資源や環境問題の観点から、その生産と使用に対して逆風の風潮もあり、とは言え、すぐに完全撤廃することは事実上不可能である。従って、レジ袋がもっとも一般的に利用されるごみ箱の中敷きとして最後まで有効活用することで、上記のような問題に現実的且つ前向きに貢献しようとするものである。【解決手段】  本考案は、ごみ箱本体にレジ袋の持ち手部分をひっかけることのできるようなフックとなる穴を略対角線上に設け、そのフックを利用することでレジ袋を固定させ、レジ袋を交互に重ねることで無限にスタッキング（蓄積）させることもでき、ごみが溜まれば上から順次レジ袋を係脱させ、ごみ袋としてそのまま捨てることができるので、レジ袋を単なるごみとせずに最後まで有効活用することで問題点を解決している。また、ごみ箱本体の底を必要としないことや素材自体をレジ袋と同じポリプロピレンの再生素材を使用することも同義的に問題解決に対して貢献している。【選択図】図３
0003138978.tif 000002
【実用新案登録請求の範囲】
【請求項１】
ごみ箱の側面にフックとなるような複数の穴を設け、各自が一般的なスーパーマーケットやコンビニエンスストアで使用されるレジ袋の持ち手部分を利用し当該フックにレジ袋を設置することで、ごみ箱自体の底板を必要としないところを特徴とするフック付きごみ箱。
【請求項２】
複数の穴が対角線上に設けられている、請求項１に記載のフック付きごみ箱。
【請求項３】
組み立て式である、請求項２に記載のフック付きごみ箱。
【請求項４】
底板のない、請求項３のフック付きごみ箱。
【考案の詳細な説明】
【技術分野】
【０００１】  本考案は、ごみ箱本体側面にフックとなる穴を設けたごみ箱に関するものである。好ましくは、底なし、組み立て式、穴は複数、穴は対角線上または略対角線上、別途複数の小穴つき。
【背景技術】
【０００２】  一般家庭やオフィスにおいて、スーパーマーケットやコンビニエンスストアなどでの買い物時に使用されるポリプロピレン製のレジ袋を、ごみ箱の中に被せて使用する場合が非常に多い。
【考案の開示】
【考案が解決しようとする課題】
【０００３】  ポリプロピレン製レジ袋に対しては資源や環境問題の観点から、その生産と使用に対しては逆風の風潮もあり、とは言え、すぐに完全撤廃することは事実上不可能である。従って、もっとも一般的に利用されるごみ箱の中敷きとしての用途にてレジ袋を最後まで有効活用することで、上記のような問題に現実的且つ前向きに貢献しようとするものである。
【課題を解決するための手段】
【０００４】  本考案は、ごみ箱本体にレジ袋の持ち手部分をひっかけることのできるようなフックとなる穴を設け、そのフックを利用することでレジ袋を固定させ、レジ袋を交互に重ねることで無限にスタッキング（蓄積）させることもでき、ごみが溜まれば上から順次レジ袋を係脱させ、ごみ袋としてそのまま捨てることができるので、レジ袋を単なるごみとせずに最後まで有効活用することで問題点を解決している。また、ごみ箱本体の底を必要としないことや素材自体をレジ袋と同じポリプロピレンの再生素材を使用することも同義的に問題解決に対して貢献している。
【考案の効果】
【０００５】  上述のように、本考案のごみ箱はごみ箱としての機能は勿論、レジ袋の有効活用、資源の再利用という点において役立つ。
【考案を実施するための最良の形態】
【０００６】  展開してある状態のごみ箱本体の片端にある突起部分を、逆端の切れ込みに差し込み固定することで円筒状に組み立て、ごみ箱の形状を固定する。又、上縁部にある対角線上のフックとなる穴のうち相対するフックに、レジ袋の持ち手部分を引っ掛け、ごみ箱内部にレジ袋を固定する。又、交互にレジ袋を係着させスタッキング（蓄積）することも可能。
【実施例】
【０００７】  以下、添付図面に従って一実施例を説明する。１はフック、２は１のフックを形成するために本体に対して抜き型で空けられた穴、本体に対して切れ込み３を入れてあることで、展開状態のごみ箱本体５を丸めてくることで突起部分４をそこに差込み、固定する。【０００８】  一般的なレジ袋の両持ち手を、対角線上に設けられた穴２をそれぞれ通しつつフック１に対して引っ掛ける。レジ袋本体を、筒状に組上げられたごみ箱本体５の中に入れて設置する。同様の作業を繰り返すことでレジ袋を無数にスタッキング（蓄積）しつつ設置する。【０００９】  ごみ箱として使用し、袋がいっぱいになれば一番上に設置されているレジ袋のみをごみ箱本体５から系脱させ、レジ袋をゴミ袋として利用し、そのまま捨てることができる。
【図面の簡単な説明】
【００１０】
【図１】本考案のフック付きごみ箱の展開図である
【図２】本考案のフック付きごみ箱を組上げたものの傾視図である。
【図３】本考案のフック付きごみ箱の実施例を表す傾視図である。
【符号の説明】
【００１１】１  フック
２  穴
３  切れ込み
４  突起部分
５  ごみ箱本体
【図１】
0003138978.tif 000003
【図２】
0003138978.tif 000004
【図３】
0003138978.tif 000005
(57)【要約】【課題】    故人とのお別れに際し、成仏を願いながらお別れができる。【解決手段】風船１の数珠とお念仏に導かれて魂が極楽浄土へ向かわれる事を願う気持ちを託す。【選択図】図１
0003138973.tif 000002
【実用新案登録請求の範囲】
【請求項１】
丸球型の風船（１）を数珠状に設け、下端部にふさ（２）を設け、風船（１）に宗派別のお念仏を一字づつ書き込む。
【考案の詳細な説明】
【技術分野】
【０００１】  本考案は、風船の数珠に関するものである。
【背景技術】
【０００２】  従来は、風船の数珠としての物はなかった。
【考案の開示】
【考案が解決しようとする課題】
【０００３】  解決しようとする問題点は、故人が霊柩車で霊場に向かわれる際参列者はただ手を合わせてお見送りしていた。
【問題を解決するための手段】
【０００４】  円球型の風船（１）を数珠状に結び、両先端をつなぎ、ふさ（２）を設け、風船（１）にお念仏を書く。
【考案の効果】
【０００５】  本考案の風船は、故人との永遠のお別れにあたり遺族をはじめ親族及び参列者全員で、故人の魂がお念仏に導かれて極楽浄土へ旅立たれるように願う気持ちを表わすことができる。
【考案を実施するための最良の形態】
【０００６】  風船は天然ゴム製、ふさは和紙製の物を用いる。
【産業上の利用可能性】
【０００７】  風船にヘリウムガスを入れて膨らまして数珠状にし、両先端を結んでふさをつけお念仏を書き込み、お別れの時上空に向けて放つ。
【図面の簡単な説明】
【０００８】
【図１】は本考案の正面図である。
【図２】は本考案の側面図である。
【符号の説明】
【０００９】  １風船  ２ふさ
【図１】
0003138973.tif 000003
【図２】
0003138973.tif 000004
【手続補正書】
【提出日】平成19年9月12日(2007.9.12)
【手続補正１】
【補正対象書類名】実用新案登録請求の範囲
【補正対象項目名】全文
【補正方法】変更
【補正の内容】
【実用新案登録請求の範囲】
【請求項１】
丸球型の風船（１）を数珠状に設け、下端部にふさ（２）を設け、風船（１）に宗派別のお念仏を一字づつ書き込んだ風船の数珠。
(57)【要約】【課題】  従来の飲用容器は、単に造花を飾りつけるものとしては好都合だが生花をかざるには不向きであった。本考案は、水を入れて生花等を挿してコップの装飾を演出できるようにした小瓶付コップを提供するものである。【解決手段】  本考案は、耐熱ガラス製によるコップの一側面にガラス部材の一端を溶着し、前記ガラス部材の他端に口径が小さい円筒状の小瓶を縦長状態にして溶着したことを特徴とする、耐熱ガラス製の小瓶付コップである。【選択図】図１
0003138992.tif 000002
【実用新案登録請求の範囲】
【請求項１】
耐熱ガラス製によるコップの一側面にガラス部材を介して口径の小さい円筒状の小瓶を縦長状態にして溶着した、耐熱ガラス製の小瓶付コップ。
【考案の詳細な説明】
【技術分野】
【０００１】  本考案は、耐熱ガラス製コップに円筒状の小瓶を溶着した耐熱ガラス製の小瓶付コップに関する。
【背景技術】
【０００２】  従来、飲用容器に装飾部材を取り付けるようにしたものが提案されていた。【０００３】  例えば、ガラス製のポットの把手部に造花等アクセサリー用の挿入孔が設けられたものがあった（例えば、特許文献１参照）【０００４】  また、飲用容器の外周面に造花等を入れる指し込み穴を設けたものが提案されていた（例えば、特許文献２参照）。【０００５】
【特許文献１】実開昭５５−５５０５号公報  １頁
【特許文献２】実開平０５−２１７７１号公報  １頁
【考案の開示】
【考案が解決しようとする課題】
【０００６】  従来の飲用容器は、単に造花を飾りつけるものとしては好都合だが、生花を飾るには不向きであった。本考案は、水を入れて生花等を挿してコップの装飾化を演出できる小瓶付コップを提供するものである。
【課題を解決するための手段】
【０００７】  本考案は、耐熱ガラス製によるコップの一側面にガラス部材一端を溶着し、前記ガラス部材の他端に口径が小さい円筒状の小瓶を縦長状態で溶着したことを特徴とする耐熱ガラス製の小瓶付コップである。
【考案の効果】
【０００８】  本考案の耐熱ガラス製の小瓶付コップは、そのコップに飲み物を入れることは勿論、そのコップに溶着した小瓶の中に水をいれて生花等を挿して、華やかさや癒し感等の装飾を楽しむことができる。
【考案を実施するための最良の形態】
【０００９】  以下、図面に従って実施例を説明する。【００１０】  耐熱ガラス製によるコップ１の一側面とガラス部材２の一端をバーナーであぶって溶化し、さらに、ガラス部材２の他端と小瓶３をバーナーであぶって溶化して、コップ１の一側面に円筒状の小瓶３を縦長状態にして溶着する。【００１１】  なお、コップ１と小瓶３が溶着した状態の小瓶付コップを電気炉に入れて、ガラスのひずみを取って成形する。【００１２】  本考案の耐熱ガラス製の小瓶付コップを使用する場合は、コップ１に飲み物をいれ、小瓶３に生花等を入れる。ストローを利用すればコップ１を極端に傾けないので、小瓶３の中の生花等をこぼすことを防ぐことができる。【００１３】  従来のように、造花等を挿して楽しむこともできる。
【図面の簡単な説明】
【００１４】
【図１】  本考案の実施例を示す縦断面図
【図２】  本考案の使用状態を示す斜視図
【符号の説明】
【００１５】  １  コップ
２  ガラス部材
３  小瓶
【図１】
0003138992.tif 000003
【図２】
0003138992.tif 000004
【手続補正書】
【提出日】平成19年11月1日(2007.11.1)
【手続補正１】
【補正対象書類名】明細書
【補正対象項目名】全文
【補正方法】変更
【補正の内容】
【考案の詳細な説明】
【技術分野】
【０００１】  本考案は、耐熱ガラス製コップに円筒状の小瓶を溶着した耐熱ガラス製の小瓶付コップに関する。
【背景技術】
【０００２】  従来、飲用容器に装飾部材を取り付けるようにしたものが提案されていた。【０００３】  例えば、ガラス製のポットの把手部に造花等アクセサリー用の挿入孔が設けられたものがあった（例えば、特許文献１参照）。【０００４】  また、飲用容器の外周面に造花等を入れる差し込み穴を設けたものが提案されていた（例えば、特許文献２参照）。【０００５】
【特許文献１】実開昭５５−５５０５号公報  １頁
【特許文献２】実開平０５−２１７７１号公報  １頁
【考案の開示】
【考案が解決しようとする課題】
【０００６】  従来の飲用容器は、単に造花を飾りつけるものとしては好都合だが、生花を飾るには不向きであった。本考案は、水を入れて生花等を挿してコップの装飾化を演出できる小瓶付コップを提供するものである。
【課題を解決するための手段】
【０００７】  本考案は、耐熱ガラス製によるコップの一側面にガラス部材の一端を溶着し、前記ガラス部材の他端に口径が小さい円筒状の小瓶を縦長状態で溶着したことを特徴とする耐熱ガラス製の小瓶付コツプである。
【考案の効果】
【０００８】  本考案の耐熱ガラス製の小瓶付コップは、そのコップに飲み物を入れることは勿論、そのコップに溶着した小瓶の中に水をいれて生花等を挿して装飾することにより、華やかさや癒し感等を楽しむことができる。
【考案を実施するための最良の形態】
【０００９】  以下、図面に従って実施例を説明する。【００１０】  耐熱ガラス製によるコップ１の一側面とガラス部材２の一端をバーナーであぶって溶化し、さらに、ガラス部材２の他端と小瓶３の一側面をバーナーであぶって溶化して、コップ１の一側面に円筒状の小瓶３を縦長状態にして溶着する。【００１１】  なお、コップ１と小瓶３が溶着した状態の小瓶付コップを電気炉に入れて、ガラスのひずみを取って成形する。【００１２】  本考案の耐熱ガラス製の小瓶付コップを使用する場合は、コップ１に飲み物をいれ、小瓶３に生花等を入れる。ストローを利用すればコップ１を極端に傾けないので、小瓶３の中の生花等をこぼすことを防ぐことができる。【００１３】  従来のように、造花等を挿して楽しむこともできる。
【図面の簡単な説明】
【００１４】
【図１】  本考案の実施例を示す縦断面図
【図２】  本考案の使用状態を示す斜視図
【符号の説明】
【００１５】    １  コップ
２  ガラス部材
３  小瓶
(57)【要約】【課題】  二重構造シャワーヘッドに湯水を供給する為の湯水混合水栓装置に付加して設備する送水口補助装置を簡便なものにすること。【解決手段】  二重構造シャワーヘッド９に内部ホース８１を持つ二重構造のシャワーホース８を接続し、夫々個別に温度と圧力を調整した湯水を供給する為の給水口補助装置５０を付属させた。６，７のバルブで調整された高温水はパイプ６７から給水口補助装置５０の内部パイプ５１を通り、シャワーホース８の内部ホース８１の内部に流れ、二重構造シャワーヘッド９の内部ホース９１に流れ、中央部噴射ノズル１０から噴射される。  又、３，４のバルブで調整された冷水は給水口補助装置５０の内側を通り、シャワーホース８の内側を流れ、二重構造シャワーヘッド９の内側を流れ、外周穴１１から放出される。【選択図】図１
0003138995.tif 000002
【実用新案登録請求の範囲】
【請求項１】
湯水を夫々個別の温度と圧力で同時に噴射・放出させることが出来る二重構造シャワーヘッドにおいて、湯水混合水栓装置に付加して設備する装置で、四方向の流入流出口を有し、一方向に湯水を２重構造で供給できることを特徴とする送水口補助装置。
【考案の詳細な説明】
【技術分野】
【０００１】  本考案は、二重構造シャワーヘッドに湯水を供給する為の湯水混合水栓装置に付加して設備する送水口補助装置に関するものである。
【背景技術】
【０００２】  入浴時に使用されているシャワーヘッドを改善し、効率良くストレスを解消することが求められている。また同時に高圧噴射により、局部マッサージを素早く、局部洗浄を能率よく行われることが求められている。【０００３】  シャワーヘッドは中央部のノズルからは高温水を噴射することができ、同時に外周穴から冷水を放出できる二重構造に成っていて、中央部のノズルから噴射した高温水を単独では熱すぎる感じる時でも、外周から放出される冷水によりその熱さを即座に緩和するのに役立つ構造となったものが考案されている。
その内容において、二重構造シャワーヘッドとそれに湯水を供給する為の湯水混合水栓装置に付加して設備する送水口補助装置が既に考案されている。
【特許文献１】実用新案登録実願２００６−００１２４８
【０００４】  上記の考案において、通常の湯水混合水栓装置に附加して、送水口補助装置として３方向タイプが考案されているが、装置が大がかりとなり、取り付けなどに不便であった。
【考案の開示】
【考案が解決しようとする課題】
【０００５】  通常の湯水混合水栓装置に附加して、簡単に取り付け出来る送水口補助装置とすること。
【課題を解決するための手段】
【０００６】  二重構造シャワーヘッドに湯水を供給する為の湯水混合水栓装置に付加して設備する送水口補助装置を図３の５０の様に四方向流入流出方式とし、二つの調整バルブを組み合わせ、簡単に接続できる構造とした。【０００７】  図１において、高温水はパイプ１から供給され、冷水はパイプ２から供給される。通常の湯水混合水栓装置５の高温水調整用バルブ６と冷水調整用バルブ７にて水量を調整し、必要とする温度の高温水をホース６７から送水口補助装置５０に送る事ができる。【０００８】  図１において、パイプ１から供給された高温水とパイプ２から供給された冷水をそれぞれバルブ３とバルブ４により水量を調整し、送水口補助装置５０に送り、適切な温度の冷水とすることができる。【０００９】図１において、６７から流れ込んだ高温水はホース８の内部ホース８１に流れ、シャワーヘッド９の内部ホース９１に流れる。高温水は二重構造シャワーヘッド９の中央部噴射ノズル１０から噴射される。適切な温度の冷水は５０の内部、８の内部、９の内部を流れ、外周穴１１から放出される。【００１０】図２は二重構造シャワーヘッド９の断面図を示したもので、中央部に高温水を噴射する為の突起したノズル１０を有し、其の外周に冷水を放出する穴１１を持った構造となっている。内部ホース８１は９１に繋がり、ホース８の内側８２を流れる冷水はシャワーヘッド９の内側９２に流れる構造になっている。【００１１】図３は本考案の送水口補助装置５０の断面図で、高温水と冷水が混ざることなく送水口補助装置５０の内部を通過できる状態を示したものである。【００１２】即ち高温水は５０の内部にある細いパイプ５１の内部に流れ、冷水は５０の内側５２に流れ、夫々高温水と冷水を別々にシャワーヘッドに送ることが出来る構造と成っている。
【実施例】
【００１３】  図１に示す如く既設の湯水混合水栓装置の高温水パイプ１と冷水パイプ２の配管距離は通常１５ｃｍであり、送水口補助装置５０の調整バルブ３、と４との距離も１５ｃｍとなっており、Ｔ型分岐金物を利用して、容易に接続できる。高温水パイプ１と冷水パイプ２の配管距離が１５ｃｍでない場合は偏芯ソケットを使用すれば良い。【００１４】  図１に示す如く、通常のシャワーホースに内部ホース８１を追加挿入すれば、二重構造シャワーヘッドを使用出来るものとなる。
【考案の効果】
【００１５】本考案の送水口補助装置５０を二重構造シャワーヘッドの湯水混合水栓装置に付加して設備すれば、通常の浴槽に設備されている給湯・給水源を利用して、容易に入手出来る配管部品を使用して、簡単に二重構造シャワーヘッドに湯水を供給できる装置となる。
【考案を実施するための最良の形態】
【００１６】図１、図２、図３について、これまで述べてきた方法が最も良い方法である。
【産業上の利用可能性】
【００１７】特になし
【図面の簡単な説明】
【００１８】
【図１】は通常の湯水混合水栓装置に附加した場合の本考案の機能説明図面である。
【図２】は二重構造シャワーヘッドの断面図を示したものである。
【図３】は本考案の送水口補助装置の断面図を示したものである。
【符号の説明】
【００１９】１．高温水供給パイプ  ２．冷水供給パイプ
３．高温水水量調整用バルブ  ３１．高温水供給接続ユニオン  ３２．Ｔ型分岐金物
４．冷水水量調整用バルブ  ４１．冷水供給接続ユニオン  ４２．Ｔ型分岐金物
５．通常の湯水混合水栓装置
５０．送水口補助装置
５１．水口補助装置内部パイプ  ５２．送水口補助装置の内側
５３ａ．高温水水供給接続用ソケット  ５４ａ．冷水供給接続用ソケット
５５．送水口補助装置内部パイプ接続金物  ５６．送水口補助装置用パッキン類
５７．送水口補助装置ホース接続コネクター類
６．高温水水量調整用バルブ  ６７．高温水接続ホース
７．冷水水量調整用バルブ
８．シャワーヘッドホース
８１．シャワーヘッドホース内部ホース
８２．シャワーヘッドホースの内側
９．二重構造シャワーヘッド
９１．シャワーヘッド内部ホース
９２．シャワーヘッド内側
１０．シャワーヘッド中央部噴射ノズル
１１．シャワーヘッド外周穴
１２．シャワーへッド給水／バスタブ給水切り替えコック
１３．バスタブ用蛇口
【図１】
0003138995.tif 000003
【図２】
0003138995.tif 000004
【図３】
0003138995.tif 000005
(57)【要約】【課題】ナイロンクロスベルトを縫い合わせた変形の少ない多目的ネットを提供する。【解決手段】ナイロンクロスベルトを９０度方向に縫い合わせネット全体（１）にする。縦方向ベルト（３）を上側に、横方向ベルト（４）を下側に配し縫い付ける。外枠ベルト（２）を２枚合わせにし、縦方向ベルト（３）横方向ベルト（４）を挟み込み縫い合わせる。【選択図】図１
0003138997.tif 000002
【実用新案登録請求の範囲】
【請求項１】
下記（イ）（ロ）（ハ）の特徴を有した多目的ネット。
（イ）ナイロンクロスバンドを９０度方向に縫い合わせた多目的ネット（１）
（ロ）縦方向ベルト（３）を上側に、横方向ベルト（４）を下側に配し縫い付けた多目的ネット。
（ハ）外枠のベルト（２）を２枚合わせにし、内側のベルト（３）（４）を挟み込み縫い合わせた多目的ネット。
【考案の詳細な説明】
【技術分野】
【０００１】本考案は、高い耐久強度を確保した、多目的ネットを提供するものである。
【背景技術】
【０００２】従来の多目的ネットには、紐を網状に織り合わせた物が多かった
【考案の開示】
【考案が解決しようとする課題】
【０００３】これらには次のような問題点があった。
（イ）尖っている等部分応力が集中する重量物積載の場合には破れてしまう。
（ロ）重量物を積載する場合に網が伸びてしまう。
本考案はこれらの問題点を取り除く為になされたものである。
【課題を解決するための手段】
【０００４】（イ）ナイロンクロスベルトを９０度方向に縫い合わせネット全体（１）にする。
（ロ）縦方向ベルト（３）を上側に、横方向ベルト（４）を下側に配し縫い付ける。
（ハ）外枠ベルト（２）を２枚合わせにし、縦方向ベルト（３）横方向ベルト（４）を挟み込み縫い合わせる。
【考案の効果】
【０００５】（イ）素材自体に殆ど伸縮性が無いナイロンクロスベルトを使用することにより、重量物積載の際の変形量を少なくする事が可能である。
（ロ）長辺である縦方向ベルト（３）を短辺である横方向ベルト（４）で支える事によりネットの変形量を更に少なくする事が可能である。
（ハ）応力負荷が一番掛かる外枠のベルト（２）を２枚合わせにする事により、ネット全体（１）の強度を向上させる事が可能である。
【考案を実施するための最良の形態】
【０００６】以下本考案の実施例について説明する。
（イ）ナイロンクロスベルトを９０度方向に縫い合わせネット全体（１）にする。
（ロ）縦方向ベルト（３）を上側に、横方向ベルト（４）を下側に配し縫い付ける。
（ハ）外枠ベルト（２）を２枚合わせにし、縦方向ベルト（３）横方向ベルト（４）を挟み込み縫い合わせる。
【図面の簡単な説明】
【０００７】
【図１】本考案の上面図である。
【図２】本考案の斜視分解図である。
【図３】本考案の部分拡大図である。
【符号の説明】
【０００８】１  ネット全体
２  外枠ベルト
３  縦方向ベルト
４  横方向ベルト
【図１】
0003138997.tif 000003
【図２】
0003138997.tif 000004
【図３】
0003138997.tif 000005
(57)【要約】      （修正有）【課題】折りたたみが困難な従来の自転車カバーを簡単に収納でき、外出先でも使用可能にする。【解決手段】自転車カゴに取り付け、筒状ケースから防水布のスクリーンを自転車後部まで引き出すことにより、雨を防げるロールブラインド式自転車カバー【選択図】図３
0003138998.tif 000002
【実用新案登録請求の範囲】
【請求項１】
自転車カゴに取り付け、筒状ケ−スから防水布のスクリ−ンを自転車後部まで引き出すことにより、雨を防げるロールブラインド式自転車カバ−
【考案の詳細な説明】
【技術分野】
【０００１】本考案は、自転車のカゴに取り付けるロールブラインド式の自転車カバーに関する。
【背景技術】
【０００２】従来の自転車カバーは、全体を覆うようになっている。
【考案の開示】
【考案が解決しようとする課題】
【０００３】全体を覆うようになっているカバーでは大きくて、折りたたみが困難であり、収納にも困るので外出先での使用もできない。
【課題を解決するための手段】
【０００４】そこで、自転車のカゴに、防水布を使用したロール式ブラインドを取り付けることによって、簡単にカバーができ、収納もできる。
【考案の効果】
【０００５】よって、本考案のロール式ブラインドにより、外出先でもカバーが出来、カゴを覆うだけにすれば、走行中の盗難も防止できる。
【考案を実施するための最良の形態】
【０００６】本考案に係るロールブラインド式自転車カバー図１は、カゴの前面にネジ１で取り付ける。防水布の先端裏にクリップ２がついており、カゴに挟むと雨よけや走行中の盗難防止になり（図２）、後輪のカバーに挟むと自転車全体のカバーになる（図３）。
筒状ケース本体は、ステンレスで形成することが望ましく、スクリーンはピンと張れるように少し硬めの防水布で、巻き取り易い物にする。従来のブラインドのように軽く引くと簡単に収納できる。
【図面の簡単な説明】
【０００７】
【図１】本考案に係る自転車カバーを少し引き出した状態。
【図２】カゴにふたをした状態。
【図３】自転車全体にカバーをした状態
【符号の説明】
【０００８】１    取り付けネジ
２    クリップ
【図１】
0003138998.tif 000003
【図２】
0003138998.tif 000004
【図３】
0003138998.tif 000005
(57)【要約】【課題】  本考案は身体洗具本体に角度をつけた握り部分を装着した柄を設け、当該柄の長さを身体の洗う部位に合わせて伸縮自在とすることで、手の届かない背中等を容易に擦り洗いすることが可能になり、また、病気、怪我等で腰等を痛めていたりして屈伸、捻り等が困難な場合や、怪我等で片手しか使えない際の洗い残し防止をする。【解決手段】  本考案は身体洗具本体１に握り部分２を装着し、その握り部分２に角度をつけた角度部分３を設け、その握り部分２が自在に伸縮できる様に、一段目の柄４と二段目の柄５を設け、その二本の柄を繋ぐことで伸ばしての使用が可能となるとともに、一段目の柄４を二段目の柄５に設けた収納室に収納し、更に、二段目の柄５を握り部分２に設けた収納室に収納して縮めた状態での使用を可能とし、且つ、身体洗具本体１に垢擦り６を装着することにより、洗い残し防止に役立つ。【選択図】図１
0003138996.tif 000002
【実用新案登録請求の範囲】
【請求項１】
身体洗具本体に角度をつけた握り部分を装着した柄を設け、当該柄の長さを洗う身体の部位に合わせて自在に調節できることを特徴とする伸縮自在柄付身体洗具。
【考案の詳細な説明】
【技術分野】
【０００１】  本考案は、角度をつけた握り部分とともに伸縮自在の柄を設けた、身体洗具に関するものである。
【背景技術】
【０００２】  浴室等に於て身体を洗う際、石鹸等を垢擦りにつけて泡立てた後、その垢擦りを直接手に持って身体の各部位を擦り洗いし、又、手の届かない背中等は垢擦りを伸ばした状態で両端をそれぞれ左右の手で持って上下に動かす等して擦り洗いしていた。
【考案の開示】
【考案が解決しようとする課題】
【０００３】  垢擦りを直接手に持っての擦り洗いは、手の届かない背中等に洗い残しが生じていた。また、病気、怪我等で腰等を痛めていたりして屈伸、捻り等が困難な場合や、怪我等で片手しか使えない際にも洗うのが困難になる部位が多数生じる。従って、角度をつけた握り部分を装着した伸縮自在柄付身体洗具を使うことにより身体の各部位に合わせて柄の長さを調節でき、また、角度をつけた握り部分を持つことで、  姿勢を変えずに片手で各部位を洗うことが可能になり、前述の欠点を解決しようとするものである。
【課題を解決するための手段】
【０００４】  本考案は、身体洗具本体に角度をつけた握り部分を装着した柄を設け、その握り部分に収納室を設けて二本の柄を重ねて収納し、その二本の柄を擦り洗う部位に応じて引き出して繋ぎ、柄の長さを調節自在とすることにより問題点を解決している。
【考案の効果】
【０００５】  上述の様に、本考案の伸縮自在柄付身体洗具は手の届かない背中等を容易に擦り洗うことは勿論、柄を伸縮させることで遠近両方の身体部位を擦り洗いすることが可能となり、且つ、身体の部位の方向に合わせて角度のついた握り部分を持つことで、姿勢を変えずに片手で身体各部位の擦り洗いが可能になり、病気、怪我等で身体の動きが制限される際での洗い残し防止に役立つ。
【考案を実施するための最良の形態】
【０００６】  身体洗具本体は垢擦り部分、一段目と二段目の二本の柄、角度のついた握り部分が一体化形成されており、手の届く身体の部位を擦り洗いする際には、一段目の柄を二段目の柄に設けた収納室に収納し、その一段目の柄を収納した二段目の柄を、更に、握り部分に設けた収納室に収納することで身体洗具本体を縮めた状態での使用が可能となり、また、手の届かない身体の部位を擦り洗いする際には、各収納してある一段目の柄と二段目の柄を順次引き出して繋ぐことで柄が伸びた状態での使用が可能となる。
【実施例】
【０００７】  以下、添付図面に従って一実施例を説明する。１は耐久性のプラスチック等適宣素材にて一体化形成された身体洗具本体、２は該身体洗具本体１の握り部分で、３は握り部分２の角度部分、４は一段目の柄、５は二段目の柄、６は身体洗具本体１に装着してある垢擦り。
【図面の簡単な説明】
【０００８】
【図１】本考案の伸縮自在柄付身体洗具の一実施例を示す平面図である。
【符号の説明】
【０００９】１  身体洗具本体
２  握り部分
３  角度部分
４  一段目の柄
５  二段目の柄
６  垢擦り
【図１】
0003138996.tif 000003
(57)【要約】【課題】水分の多い食物を切る時に発生する水分を逃さないようにできるまな板を提供する。【解決手段】まな板の周囲に水分を貯める溝を設け前記溝には外部の器に、貯めた水分を移す為の注ぎ口を備えた。【選択図】図３
0003138981.tif 000002
【実用新案登録請求の範囲】
【請求項１】
まな板において、前記まな板の周囲に溝を設け、食物を切った時に発生する水分を前記、溝に貯められるように構成したことを特徴とするまな板。
【請求項２】
前記まな板に加えて、前記、溝に注ぎ口を設け、前記溝に貯まった水分を外部の器に移せるように構成したことを特徴とする請求項１に記載のまな板
【考案の詳細な説明】
【技術分野】
【０００１】本考案は水分の多い食物を切る時発生する水分を逃さないようにできるまな板に関するものである。
【背景技術】
【０００２】食物をかむことが、難しい、歯のない老人の為に、メロンやトマトのような、水分の多い食物をみじん切りにすると、水分が流れ出て、食物をまるごと摂取できなかった。
【考案の開示】
【考案が解決しようとする課題】
【０００３】水分の多い食物をみじん切りにしても、水分が流れ出てすくいとれなくて、水分を逃してしまうという問題点があった。
特にメロンやトマトのように、水分の多い食物をみじん切りにすると水分が流れ出て水分を逃してしまうという問題点があった。
そこで本考案は、水分の多い食物を切る時に発生する水分を逃さないようにできるまな板を提供することを課題とする。
【課題を解決する為の手段】
【０００４】前記、課題を解決する為に  まな板において、前記、まな板の周囲に溝を設け、食物を切った時に発生する水分を前記、溝に貯められるように構成したことを特徴とする。
また前記まな板に加えて前記溝に注ぎ口を設け前記溝に貯った水分を外部の器に移せるように構成したことを特徴とする。
【考案の効果】
【０００５】水分の多い食物を切った時に発生する水分を逃さないまな板を提供することができる。
【実施例】
【０００６】〔図１〕−▲１▼の部分で食物を切る。流れ出た水分を、溝〔図１〕−▲２▼で集め、注ぎ口〔図１〕−▲３▼から外部の器に移す。
【図面の簡単な説明】
【図１】本考案の実施例を示す平面図である。
【図２】本考案の実施例を示す断面図である。
【図３】本考案の実施例を示す斜視図である。
【符号の説明】
１、まな板部
２、溝
３、注ぎ口
【図１】
0003138981.tif 000003
【図２】
0003138981.tif 000004
【図３】
0003138981.tif 000005
(57)【要約】      （修正有）【課題】粘性溶液や接着剤の容器において、容器の縁に付いた液体の硬化によって、蓋が閉まらなくなったり、閉め難くなること或いは蓋が容器に接着したり、粘着することを防ぐ容器を提供する。【解決手段】硬質材による上部周囲内側に溝のある容器１の溝２に一つ以上の穴３を開け、縁にに残った溶液を容器内に落として、溝に嵌合する突起のある蓋をする。【選択図】図１
0003138988.tif 000002
【実用新案登録請求の範囲】
【請求項１】
上面内側周囲に、連続した凹形状溝のある硬質容器において、この溝に一つ以上の穴を開け、容器の溝に嵌合する連続凸形状を有する蓋をする、液状体の収納容器
【考案の詳細な説明】
【技術分野】
【０００１】本考案は、蓋付き液状体収納容器に関する。
【背景技術】
【０００２】  従来の液状体特に粘度の高い液体は、上面周囲に連続凹形状の溝のある容器に入れ、その溝に嵌合する凸形状を形成した蓋をしていた。【０００３】  しかし、容器周囲の溝中に液体が付着することが多く、その液体が硬化性質を有すると、粘度が高くなり、蓋をしたとき、その凸形状部に転着し、蓋が開け難くなったり、蓋と容器が接着して、再度蓋を開けるのが困難になったりしていた。
【考案の開示】
【考案が解決しようとする課題】
【０００４】  本考案は、背景技術に示したような問題を解決するものである。
【課題を解決するための手段】
【０００５】  本考案は、上面周囲に連続した溝のある、容器のその溝に一つ以上の穴を開け、中の液体を外部に出したときに、上部縁の溝に付着した液体を穴から容器内に落とし戻して、再び容器に蓋をしたとき、蓋の周囲に形成した溝に嵌合する突起部と容器とが粘着又は接着しない構造とすることにある。
【考案を実施するための最良の形態】
【０００６】  図１に示すように、上面周囲に溝２のある容器１に、その溝２に一つ以上の穴３を開ける。穴３は間隔を開けた長穴でも良い。【０００７】  これに図２のごとき、図１の溝２の凹形状に嵌合する、連続した断面凸形状の突起４のある蓋５を嵌め込む。【０００８】  容器１内の液体特に粘度の高い液体を外部に出すとき、容器１の上部縁に流れ落とした液体が容器１の溝２に付着しても、溝２に開けた穴３から容器１内に流れ込み、容器の縁に液体が付着し、時には液体が溜まることによる蓋５の容器１への嵌め込みを疎外することはない。【０００９】  容器１やその蓋５の材質は、硬質性があれば、その材質は金属製の場合の妨錆対応や、プラスチック材の場合の溶解対策を考慮すれば、材質を問わない。
又容器１の形状は、円筒体、立方体等適宜で良い。
【考案の効果】
【００１０】    液体容器特に粘性、硬化性のある液体容器において、容器縁に付着した液体によってその蓋との付着、粘着で蓋が開かない、開け難いということが無くなる。
【００１１】    容器縁の残留液は、容器の中に戻り、その無駄が無くなる。
【図面の簡単な説明】
【００１２】
【図１】  上面周囲に一つ以上の穴が開いている凹形状連続溝のある円筒形状容器の斜視図
【図２】  容器の溝に嵌合する連続凸形状のある蓋の斜視図
【図３】  図１の断面図
【符号の説明】
【００１３】    １・・容器
２・・溝
３・・穴
４・・突起
５・・蓋
【図１】
0003138988.tif 000003
【図２】
0003138988.tif 000004
【図３】
0003138988.tif 000005
(57)【要約】【課題】ゴルフボ−ルを的確なパタ−ショットするためのものである。【解決手段】パタ−フェイスの反対側（１）に、水平器（２）を取り付けパタ−ショットするものである。【選択図】図１
0003138990.tif 000002
【実用新案登録請求の範囲】
【請求項１】
パタ−フェイスの反対側に水平器を取り付けた練習用パタ−。
【考案の詳細な説明】
【考案の詳細な説明】
【技術分野】
【０００１】この考案は、パタ−フェイスの反対側に水平器を取り付けた練習用パタ−に関するものであるである。
【背景技術】
【０００２】従来、パタ−練習器にはゴルフボ−ルを、Ｘ方向とＹ方向に対して、水平かつ直角にあてる為の水平器がついていなかった。
【考案が解決しようとする課題】
【０００３】従来のパタ−練習器であれば、ゴルフボ−ルを打つ時に、パタ−ソ−ル底面が直角にかつ水平にあたっているかは、経験でしか解からないために的確なパタ−ショットが難しかった。
【課題を解決するための手段】
【０００４】本考案は、それらの欠点を除くために発明されたもので、それを図面で説明すればパタ−フェイス（１）の反対側に水平器（２）を取り付けたものである。
【実施例】
【０００５】なお、実施に当たっては、次のような事が考えられる。
（イ）水平器をシャフトにつけてもよい。
（ロ）水平器の代わりに傾斜角度器をつけてもよい。
【考案の効果】
【０００６】  したがって、このパタ−練習器を使用すれば、水平器（４）によってゴルフボ−ルが、パタ−フェイスに対して直角に当たるので的確なパタ−ショットが可能となる。
本考案は、アンジュレ−ションの微妙なグリ−ンでも正確で、しかも確実なパタ−ショットを愉しむ事ができる、創造を超えたパタ−練習器である。
【図面の簡単な説明】
【図１】本考案の斜視図
【図２】本考案の水平器の拡大図
【符号の説明】
１は、パタ−フェイスの反対側
２は、水平器
３は、ゴルフボ−ル
４は、Ｘ方向の水平器とＹ方向の水平器
【図１】
0003138990.tif 000003
【図２】
0003138990.tif 000004
(57)【要約】【課題】ご飯を盛り付ける茶碗は、製品ごとに大きさが異なるために、ご飯の盛り付け量が多くなったり、少なすぎたりして、１回の摂取カロリー必要量分からなかった。【解決手段】茶碗の内側にカロリーを表示したラインを２本から３本表示し、１回の食事に必要なご飯の量を視覚で確認して、摂取カロリーを調節する。また、朝昼晩のご飯の量を決めることで、カロリーを抑制することが出来る。【選択図】図１
0003138989.tif 000002
【実用新案登録請求の範囲】
【請求項１】
茶碗の内面にカロリーを表示した線を設けたことを特徴とするカロリー表示茶碗
【請求項２】
前記カロリー表示茶碗について、カロリーを表示した線を複数本設けた事を特徴とする請求項１記載のカロリー表示茶碗
【考案の詳細な説明】
【技術分野】
【０００１】従来の茶碗に１回の食事に必要なカロリーを正確に表示します。
【背景技術】
【０００２】  従来の茶碗は、製品ごとに、大きさが異なり、１回の食事に必要なご飯の量が分からずに食べ過ぎたり、少なすぎたりして、健康管理に問題があった。
【考案の開示】
【考案が解決しようとする課題】
【０００３】従来の茶碗は、１回の食事に必要な量が分からないため、つい食べ過ぎてしまい、中高年の方がメタボリックシンドロームになっているので、カロリー過多に陥ることを予防することを課題とする。
【課題を解決するための手段】
【０００４】以上の課題を解決するために、第一考案は茶碗内部に必要カロリーラインを設けたことを特徴とする茶碗。
また、第二考案は朝昼晩のご飯必要量を表示することで、それぞれ必要以上のカロリー摂取を抑制できることを特徴とする茶碗。
【考案の効果】
【０００５】毎回の食事で、カロリー確認が出来るので、メタボリックシンドロームの予防に効果がある。
【実施例】
【０００６】この発明の実施形態を図１に示す。茶碗内に２本から３本のラインを表示をもうけるものとする。
【図面の簡単な説明】
【０００７】
【図１】  この考案の一実施形態を示す斜視図である。
【図２】  従来技術を示す斜視図である。
【図１】
0003138989.tif 000003
【図２】
0003138989.tif 000004
(57)【要約】【課題】釣り針に装着したワーム等が着水時の衝撃や、引き戻す際に障害物等に接触してずれることである。各種の抵抗を受けてもワームがずれにくい釣り針を得る事を目的とする。【解決手段】釣り針にワ−ムを固定するための螺旋状ストッパーを取り付ける。ワームをこの螺旋状ストッパーに通し、固定させることにより事により、各種の抵抗を受けてもワームがずれにくくなる。【選択図】図７
0003138764.tif 000002
【実用新案登録請求の範囲】
【請求項１】
ワーム等の擬似餌を装着する環付釣り針において、前記釣り針に螺旋状ストッパーを通し、前記螺旋状ストッパーの片方端を環付釣り針の環部に掛け留めた事を特徴とする釣り針。
【請求項２】
ワーム等の擬似餌を装着する環付釣り針において、前記釣り針環部に、同一線材から成る擬似餌誘導棒を形成した螺旋状のストッパーを掛け留めたことを特徴とする釣り針。
【考案の詳細な説明】
【技術分野】
【０００１】
本考案は、ワーム等の軟質素材で出来た擬似餌を装着する釣り針に関するものである。
【背景技術】
【０００２】
ワーム等の擬似餌は、一般的に図１のように釣り針に掛け通す。装着されたワームは何度もキャスティングを繰り返したり、ワームを引き戻す際に水中の障害物に接触して、ワームの頭部がずれるということがよく起こる。そうなると、ワーム本来の動きが出来なくなり、ブラックバス等の対象魚が釣れにくくなる。擬似餌の動きで対象魚を釣るという釣法において、このことは大きな欠点である。
【０００３】
この改善策として図２のように釣り針に突起部を形成する事によって、ワーム等を釣り針に掛け通した際、この突起がストッパーの役目を果たしずれにくくする釣り針が考えられている。この方法でも、ワームのずれを完全に防止することは出来ない。
【０００４】
また、図３のように釣り針の環部に差込棒１を掛け通して、ストッパーとした釣り針がある。これは、ワームの頭部に前記刺込棒１を刺し込むことによってワーム頭部を固定するものである。この方法はワームのずれ防止に効果はあるが、完全に防止することは出来ない。
【０００５】
また、図４のように釣り針の環部に螺旋状のストッパー２を掛け通した釣り針もある。これはワームの頭部に前記螺旋状ストッッパーを刺し込むことによってワーム頭部を固定するものであるが、ワームに螺旋を差し込みにくいという欠点があった。
【考案の開示】
【考案が解決しようとする課題】
【０００６】
解決しようとする問題点は、釣り針に装着したワーム等が着水時の衝撃や、引き戻す際に障害物等に接触してずれることである。
【課題を解決するための手段】
【０００７】
請求項１記載の本考案によれば、釣り針の環部下方の軸部に螺旋状ストッパー２を掛け通す事により、釣り針に通したワームの頭部を前記螺旋状ストッパー２に刺し通してしっかり固定する事が出来る。
【０００８】
請求項２記載の本考案によれば、釣り針の環部に同一線材から成る擬似餌誘導棒３を形成した螺旋状ストッパーを掛け留めることにより、ワームの頭部を前記螺旋状ストッパーに刺し通してしっかり固定する事が出来る。
【考案の効果】
【０００９】
請求項１記載のワームストッパー付釣り針は環部下方の軸部に掛け通した螺旋状ストッパーによりワームの頭部が固定されるのでワームに衝撃や抵抗が加わってもワームがずれ落ちることがない。
【００１０】
請求項２記載のワームストッパー付釣り針は環部に掛け通した擬似餌誘導棒を形成した螺旋状ストッパーにより、擬似餌誘導棒でワームの頭部を誘導固定出るので容易にワームを装着する事が出来、かつ強力にワームを固定出来るので、ワームに衝撃や抵抗が加わってもワームがずれ落ちることがない。
【実施例１】
【００１１】
図５は、請求項１記載の本考案の正面図である。螺旋状ストッパーを釣り針の針先４より通し、上部の環部付近まで誘導し、螺旋状ストッパーの先端をプライヤーで外方向に広げつつ、環に素早く掛け通すことによって得られる。螺旋状ストッパーの線径は釣り針軸部の３倍以下になるようにするのが望ましく、螺旋のリングの数は３−４個が望ましい。また、釣り針環部に掛け通す側の先端は図６のように真上からみた時、半月状になるように曲げておくことにより、一度掛け通すと前記半月状部がストッパーとなり、螺旋状ストッパーが釣り針環部から外れなくなる。
【００１２】
ワームの装着は、針先をワーム頭部から掛け通し、釣り針頭部に向けて引き上げていく。ワームが請求項１記載の本考案の螺旋状ストッパーに到達したらワームを捻り上げながら釣り針頭部までもっていくことにより装着する。
【実施例２】
【００１３】
図７は、請求項２記載の本考案の正面図である。釣り針の環部に同一線材から成る擬似餌誘導棒３を形成した螺旋状ストッパーの先端から釣り針環部に挿入し、螺旋状ストッパーの反対端まで捻っていく事によって取り付ける。螺旋状ストッパーの線径は釣り針軸部の３倍以下になるようにするのが望ましく、螺旋のリングの数は３−４個が望ましい。
【００１４】
ワームの装着は、ワーム頭部を請求項２記載の本考案の擬似餌誘導棒３を形成した螺旋状ストッパーに捻りながら通す。次に、ワームがピンと真っ直ぐ伸びる位置に釣り針の針先を掛け通す。
【産業上の利用可能性】
【００１５】
釣り針に取り付けた螺旋状ストッパーにより、着水時の衝撃や、引き戻す際の各種の抵抗を受けても、ワームがずれなくなるため、障害物の多いポイントにも安心して投げる事が出来る。また、何度もズレを修正する手間が省けることにより、疲労も軽減され、効率よくキャスティングを繰り返す事ができる。
【図面の簡単な説明】
【００１６】
【図１】ワームの一般的な装着例
【図２】突起部を形成した釣り針
【図３】差込棒を取り付けた釣り針
【図４】従来の螺旋状ストッパーを取り付けた釣り針
【図５】螺旋状ストッパーを取り付けた釣り針（実施例１）
【図６】実施例１に取り付ける螺旋状ストッパーの平面図
【図７】螺旋状ストッパーを取り付けた釣り針（実施例２）
【符号の説明】
【００１７】
１    差込棒
２    螺旋状ストッパー
３    擬似餌誘導棒
４    針先
５    釣り針の環部
【図１】
0003138764.tif 000003
【図２】
0003138764.tif 000004
【図３】
0003138764.tif 000005
【図４】
0003138764.tif 000006
【図５】
0003138764.tif 000007
【図６】
0003138764.tif 000008
【図７】
0003138764.tif 000009